(57)【要約】  血清や血漿中の妨害成分を明らかにし、当該妨害成分の影響を回避する手段を提供する。  被測定物質が血中の抗体又は抗原であり、被測定物質が抗体である場合は抗原、抗原である場合は抗体との免疫反応により被測定物質を測定する試薬において、免疫反応の反応系にグリセロリン脂質を含有させることを特徴とする内因性リポ蛋白質の影響回避方法。【特許請求の範囲】
【請求項１】
被測定物質が血中の抗体又は抗原であり、被測定物質が抗体である場合は抗原、抗原である場合は抗体との免疫反応により被測定物質を測定する試薬において、免疫反応の反応系にグリセロリン脂質を含有させることを特徴とする内因性リポ蛋白質の影響回避方法。
【請求項２】
グリセロリン脂質が、ホスファチジン酸、ホスファチジルコリン、ホスファチジルグリセロール、ホスファチジルエタノールアミン及びホスファチジルセリンから選ばれる１種以上である請求項１記載の内因性リポ蛋白質の影響回避方法。
【請求項３】
被測定物質が、抗リン脂質抗体である請求項１又は２記載の内因性リポ蛋白質の影響回避方法。
【請求項４】
被測定物質である抗リン脂質抗体が、梅毒感染により血中に出現する抗梅毒リン脂質抗体又は自己免疫疾患である抗リン脂質抗体症候群により血中に出現する抗リン脂質抗体である請求項３記載の内因性リポ蛋白質の影響回避方法。
【請求項５】
被測定物質が血中の抗体又は抗原であり、被測定物質が抗体である場合は抗原、抗原である場合は抗体との免疫反応により被測定物質を測定する試薬において、前記免疫反応の反応系にグリセロリン脂質が含有されていることを特徴とする血中の抗体又は抗原測定試薬。
【請求項６】
グリセロリン脂質が、ホスファチジン酸、ホスファチジルコリン、ホスファチジルグリセロール、ホスファチジルエタノールアミン及びホスファチジルセリンから選ばれる１種以上である請求項５記載の測定試薬。
【請求項７】
被測定物質が、抗リン脂質抗体である請求項５又は６記載の測定試薬。
【請求項８】
抗原又は抗体が不溶性担体に担持されている請求項５〜７記載の測定試薬。
【請求項９】
被測定物質である抗リン脂質抗体が、梅毒感染により血中に出現する抗梅毒リン脂質抗体である請求項７又は８記載の測定試薬。
【請求項１０】
被測定物質である抗リン脂質抗体が、自己免疫疾患である抗リン脂質抗体症候群により血中に出現する抗リン脂質抗体である請求項７又は８記載の測定試薬。
【請求項１１】
被測定物質が前立腺特異抗原である請求項５又は６記載の測定試薬。
【請求項１２】
抗体が抗前立腺特異抗原抗体であり、抗体が不溶性担体に担持されている請求項５、６又は１１記載の測定試薬。
【発明の詳細な説明】
【技術分野】
【０００１】
本発明は、内因性リポ蛋白質の影響回避方法、並びにこの方法を用いた抗リン脂質抗体測定試薬及び前立腺特異抗原測定試薬に関する。
【背景技術】
【０００２】
抗リン脂質抗体は、次の二つの疾患により生体内に産生される。一つは梅毒の病原体であるトレポネーマ・パリダム（Ｔｒｅｐｏｎｅｍａ  Ｐａｌｌｉｄｕｍ）に感染した場合であり、他の一つは全身性エリテマトーデス（ＳＬＥ）等の自己免疫疾患である抗リン脂質抗体症候群が発症した場合である。
いずれの抗リン脂質抗体も、リン脂質であるカルジオリピンを主成分とする脂質抗原に対して産生された抗体であり、その診断に使用される検査試薬はカルジオリピンを含有している。【０００３】
現在、上記リン脂質を用いる梅毒の検査方法としては、炭素又はカオリン末を担体としたＶＤＲＬ（Ｖｅｎｅｒａｌ  Ｄｉｓｅａｓｅ  Ｒｅｓｅａｒｃｈ  Ｌａｂ．）法、ＲＰＲ（Ｒａｐｉｄ  Ｐｌａｓｍａ  Ｒｅａｇｉｎ）カードテスト法（非特許文献１）、ポリスチレン共重合体等から成るラテックスを担体とし、生化学自動分析機を用いて測定を行うラテックス凝集法（特許文献１）等が用いられている。【０００４】
一方、抗リン脂質抗体症候群の検査方法としては、ＥＬＩＳＡ法による測定（特許文献２）が行われている。【０００５】
前立腺癌は男性にみられる悪性疾患であり、特に米国及び日本において、急激に増加している腫瘍である。前立腺癌は増殖の遅い腫瘍であること、放射線療法や抗男性ホルモン療法が奏効しやすいという特徴があることから、早期発見が重要な課題である。
前立腺特異抗原（Ｐｒｏｓｔａｔｅ  Ｓｐｅｃｉｆｉｃ  Ａｎｔｉｇｅｎ、以下、単に「ＰＳＡ」ということがある）は、前立腺上皮細胞から分泌されるセリンプロテアーゼの一種で、分子量３３０００〜３４０００ダルトンの糖蛋白である。このＰＳＡは、前立腺に疾患があると血液中の濃度が健常者よりも高くなるため、前立腺疾患（特に前立腺癌）の早期発見に有用となっている。ＰＳＡには、血中でプロテアーゼインヒビターと結合する複合体型と、非結合の遊離型ＰＳＡ（以下、「ｆＰＳＡ」ということがある）があるが、血中のＰＳＡの多くは複合体型であり、前立腺特異抗原−α１−アンチキモトリプシン複合体（以下、「ＰＳＡ−ＡＣＴ」ということがある）や、前立腺特異抗原−α２−マクログロブリン複合体等が存在している。このうち、免疫学的測定方法で測定できるのは、ｆＰＳＡとＰＳＡ−ＡＣＴの２種類である。
【先行技術文献】
【特許文献】
【０００６】
【特許文献１】特開平７−１０３９８０号公報
【特許文献２】特開平６−１４８１９３号公報
【特許文献３】特開２００１−２４２１７１号公報
【非特許文献】
【０００７】
【非特許文献１】Ｐｕｂｌｉｃ  Ｈｅａｌｔｈ  Ｒｅｐｏｒｔｓ  Ｖｏｌ．７５（１９６０），９８５−９８８
【発明の概要】
【発明が解決しようとする課題】
【０００８】
一般的に、抗原抗体反応による免疫凝集反応を光学的に測定することにより、疾病の有無を診断する試薬は、検体中の妨害成分の影響を受け、測定値が不規則に低下してしまう場合がある。このような現象は、被測定物質を生理食塩水や緩衝液等の検体中の妨害成分の影響を受けない溶液に添加した場合と、血清及び血漿等の妨害成分が含有される場合に測定値が大きく異なってしまうことで明らかである。
この現象が起こることによる問題点としては、次の２点が挙げられる。
（１）検体中の抗体量又は抗原量が少ない場合、妨害成分の影響により免疫凝集反応が十分に起こらず、疾病に罹患しているにもかかわらず見逃す可能性がある。
（２）測定試薬の測定範囲以上の抗体量又は抗原量を含む検体の正確な抗体量又は抗原量を測定するには、生理食塩水又は血清等で該検体を希釈して、抗体量又は抗原量を測定範囲内にまで減量して測定し、その後希釈倍率を掛けて正確な抗体量又は抗原量を算出することが行われているが、生理食塩水には上記妨害成分が含有されていないため、検体に抗体又は抗原を含まない血清で希釈した場合と、生理食塩水で希釈した場合の測定結果が乖離してしまい、正しい抗体量又は抗原量が測定できない。
従って、本発明の課題は、上記のような血清や血漿中の妨害成分を明らかにし、当該妨害成分の影響を回避する手段を提供することにある。
【課題を解決するための手段】
【０００９】
そこで、本発明者は、前記血清や血漿中に存在する免疫測定の妨害成分を解明すべく種々検討したところ、全く意外にも、抗原抗体反応に基づく吸光度が生理食塩水にリポ蛋白質を添加した溶液を検体とした場合に低下してしまうことから、当該妨害成分が内因性リポ蛋白質であることを見出した。さらに検討を続けたところ、免疫反応の反応系にグリセロリン脂質を含有せしめれば、当該内因性リポ蛋白質による測定値への影響を回避することができ、より正確に検体中の抗体又は抗原を測定可能になることを見出し、本発明を完成した。【００１０】
すなわち、本発明は、以下の発明を提供するものである。
（１）被測定物質が血中の抗体又は抗原であり、被測定物質が抗体である場合は抗原、抗原である場合は抗体との免疫反応により被測定物質を測定する試薬において、免疫反応の反応系にグリセロリン脂質を含有させることを特徴とする内因性リポ蛋白質の影響回避方法。
（２）グリセロリン脂質が、ホスファチジン酸、ホスファチジルコリン、ホスファチジルグリセロール、ホスファチジルエタノールアミン及びホスファチジルセリンから選ばれる１種以上である（１）記載の内因性リポ蛋白質の影響回避方法。
（３）被測定物質が、抗リン脂質抗体である（１）又は（２）記載の内因性リポ蛋白質の影響回避方法。
（４）被測定物質である抗リン脂質抗体が、梅毒感染により血中に出現する抗梅毒リン脂質抗体、又は自己免疫疾患である抗リン脂質抗体症候群により血中に出現する抗リン脂質抗体である（３）記載の内因性リポ蛋白質の影響回避方法。
（５）被測定物質が血中の抗体又は抗原であり、被測定物質が抗体である場合は抗原、抗原である場合は抗体との免疫反応により被測定物質を測定する試薬において、前記免疫反応の反応系にグリセロリン脂質が含有されていることを特徴とする血中の抗体又は抗原測定試薬。
（６）グリセロリン脂質が、ホスファチジン酸、ホスファチジルコリン、ホスファチジルグリセロール、ホスファチジルエタノールアミン及びホスファチジルセリンから選ばれる１種以上である（５）記載の測定試薬。
（７）被測定物質が、抗リン脂質抗体である（５）又は（６）記載の測定試薬。
（８）抗原又は抗体が不溶性担体に担持されている（５）〜（７）記載の測定試薬。
（９）被測定物質である抗リン脂質抗体が、梅毒感染により血中に出現する抗梅毒リン脂質抗体である（７）又は（８）記載の測定試薬。
（１０）被測定物質である抗リン脂質抗体が、自己免疫疾患である抗リン脂質抗体症候群により血中に出現する抗リン脂質抗体である（７）又は（８）記載の測定試薬。
（１１）被測定物質が前立腺特異抗原である（５）又は（６）記載の測定試薬。
（１２）抗体が抗前立腺特異抗原抗体であり、抗体が不溶性担体に担持されている（５）、（６）又は（１１）記載の測定試薬。【００１１】
特許文献３においては、カウンティングイムノアッセイ法においてホスファチジルコリンを添加する方法が示されているが、陰性検体で散見される非特異凝集を抑制するために添加されているものである。非特異凝集とはヒト血液検体中にまれに含まれる成分（例えば、試薬中に含有する成分に対する抗体等）により、本来の特異的な免疫凝集反応以外、つまりは検出目的である抗リン脂質抗体とリン脂質との免疫反応以外の凝集反応が起こることである。特許文献３におけるホスファチジルコリンは、このような反応を抑制することを目的としており、いわば非特異凝集抑制剤と言える。
一方、本発明におけるグリセロリン脂質は、ヒト血液検体中に普遍的に含有されるリポ蛋白質によって、正常な免疫反応の凝集抑制が起こってしまうという現象を解消し、より正確に検出目的である抗体又は抗原を検出することを目的としており、いわばリポ蛋白質の影響回避剤といえる。
本発明のグリセロリン脂質の効果は、上記特許文献３のホスファチジルコリンとは、根本的に異なる。
【発明の効果】
【００１２】
本発明により提供される試薬は、免疫反応の反応系にグリセロリン脂質を含有させることを特徴とする内因性リポ蛋白質の影響回避した試薬であり、内因性リポタンパク質の影響を受ける抗リン脂質抗体測定試薬においては、その影響を回避することにより、より正確な測定が可能となる。
【図面の簡単な説明】
【００１３】
【図１】図１は検討１における比較例１の結果であり、反応系中にグリセロリン脂質を含有していない。
【図２】図２は検討１における実施例２の結果であり、反応系中に０．０６重量％の鶏卵黄由来ホスファチジルグリセロールを含有する場合の結果である。
【図３】図３は検討２における実施例１の結果であり、反応系中に０．１２重量％の鶏卵黄由来ホスファチジルグリセロールを含有する場合の結果である。
【図４】図４は検討２における実施例２の結果であり、反応系中に０．０６重量％の鶏卵黄由来ホスファチジルグリセロールを含有する場合の結果である。
【図５】図５は検討２における実施例３の結果であり、反応系中に０．０３重量％の鶏卵黄由来ホスファチジルグリセロールを含有する場合の結果である。
【図６】図６は検討２における実施例４の結果であり、反応系中に０．０３重量％の合成ホスファチジルグリセロールである１，２−ジミリストイル−ｓｎ−グリセロ−３−ホスホグリセロールナトリウム塩を含有する場合の結果である。
【図７】図７は、検討２における実施例５の結果であり、反応系中に０．０６重量％の鶏卵黄由来ホスファチジルエタノールアミンを含有する場合の結果である。
【図８】図８は検討２における実施例６の結果であり、反応系中に０．０３重量％の合成ホスファチジルコリンである１，２−ジミリストイル−ｓｎ−グリセロ−３−ホスホコリンを含有する場合の結果である。
【図９】図９は検討２における実施例７の結果であり、反応系中に０．０３重量％の合成ホスファチジルコリンである１−パルミトイル−２−ステアロイル−ｓｎ−グリセロ−３−ホスホコリンを含有する場合の結果である。
【図１０】図１０は検討２における実施例８の結果であり、反応系中に鶏卵黄由来ホスファチジルグリセロールを０．０１５重量％及び鶏卵黄由来ホスファチジルエタノールアミンを０．０１５重量％含有する場合の結果である。
【図１１】図１１は検討２における比較例１の結果であり、反応系中にグリセロリン脂質を含有しない場合の結果である。
【図１２】図１２は検討３における実施例９の結果であり、反応系中に鶏卵黄由来ホスファチジルグリセロールを０．０１５重量％含有する場合の結果である。
【図１３】図１３は検討３における比較例２の結果であり、反応系中にグリセロリン脂質を含有しない場合の結果である。
【発明を実施するための形態】
【００１４】
本発明は、被測定物質が血中の抗体又は抗原であり、被測定物質が抗体である場合は抗原、抗原である場合は抗体との免疫反応により被測定物質を測定する試薬において、免疫反応の反応系にグリセロリン脂質を含有させることを特長とする内因性リポ蛋白質の影響回避方法、及び内因性リポ蛋白質の影響を回避した試薬である。
【００１５】
本発明において、内因性リポ蛋白質の影響回避の目的で、免疫反応の反応系に含有させる、グリセロリン脂質としては、ホスファチジン酸、ホスファチジルコリン、ホスファチジルグリセロール、ホスファチジルエタノールアミン、ホスファチジルセリン等が挙げられる。このうち、ホスファチジン酸、ホスファチジルグリセロール、ホスファチジルエタノールアミン、ホスファチジルセリンが好ましく、ホスファチジン酸、ホスファチジルグリセロール、ホスファチジルセリンが特に好ましい。
添加するグリセロリン脂質の濃度は反応系に０．００５〜０．２０重量％含有させることが好ましい。より好ましくは０．０１５〜０．１２重量％であるが、測定に用いる検体量により添加量は適宜調節する必要があるため、これに限定されるわけではない。
また、グリセロリン脂質は、反応系に含有させればよく、検体希釈液に含有させてもよく、抗体や抗原の含有試薬に含有させてもよいが、内因性リポ蛋白質の影響回避効果の点から、検体希釈液に含有させるのが好ましい。
【００１６】
上記ホスファチジン酸の由来は、動物又は植物を問わない。一般的には、ホスファチジン酸はホスファチジルコリンやホスファチジルグリセロールをホスホリパーゼＡ２により分解することにより得られる。
上記ホスファチジン酸に含まれる２つのアシル基の炭素数及び不飽和度については限定されない。一般的には、炭素数は１０〜１８、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジン酸は、異なった炭素数のアシル基を持つもの、及び異なった不飽和結合数のアシル基を持つものが組み合わされたものの混合物である。
上記ホスファチジン酸は化学的に合成されたものでもよい。実際に市販されているものとしては、１，２−ジミリストイル−ｓｎ−グリセロ−３−ホスファチジン酸ナトリウム塩、１，２−ジパルミトイル−ｓｎ−グリセロ−３−ホスファチジン酸ナトリウム塩、１，２−ジステアロイル−ｓｎ−グリセロ−３−ホスファチジン酸ナトリウム塩等がある。
【００１７】
上記ホスファチジルコリンとしては、由来は動物又は植物を問わない。よく用いられるものは、大豆、鶏卵黄より精製したものである。
上記ホスファチジルコリンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に由来が動物や植物由来のホスファチジルコリンは異なった炭素数のアシル基を持つもの、及び異なった不飽和結合数のアシル基を持つものが組み合わされたものの混合物である。
上記ホスファチジルコリンは化学的に合成されたものでもよい。実際に市販されているものとしては、１，２−ジデカノイル−ｓｎ−グリセロ−３−ホスホコリン、１，２−ジミリストイル−ｓｎ−グリセロ−３−ホスホコリン、１，２−ジパルミトイル−ｓｎ−グリセロ−３−ホスホコリン、１，２−ジステアロイル−ｓｎ−グリセロ−３−ホスホコリン、１，２−ジオレオイル−ｓｎ−グリセロ−３−ホスホコリン、１，２−ジリノレオイル−ｓｎ−グリセロ−３−ホスホコリン、１，２−ジエルコイル−ｓｎ−グリセロ−３−ホスホコリン、１−ミリストイル−２−パルミトイル−ｓｎ−グリセロ−３−ホスホコリン、１−ミリストイル−２−ステアロイル−ｓｎ−グリセロ−３−ホスホコリン、１−ミリストイル−２−オレオイル−ｓｎ−グリセロ−３−ホスホコリン、１−パルミトイル−２−オレオイル−ｓｎ−グリセロ−３−ホスホコリン、１−ステアロイル−２−オレオイル−ｓｎ−グリセロ−３−ホスホコリン、１−パルミトイル−２−ミリストイル−ｓｎ−グリセロ−３−ホスホコリン、１−パルミトイル−２−ステアロイル−ｓｎ−グリセロ−３−ホスホコリン等がある。
【００１８】
上記ホスファチジルグリセロールとしては、由来は動物又は植物を問わない。よく用いられるものは、大豆、鶏卵黄より精製したものである。
上記ホスファチジルグリセロールに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルグリセロールは、異なった炭素数のアシル基を持つもの、及び異なった不飽和結合数のアシル基を持つものが組み合わされたものの混合物である。
上記ホスファチジルグリセロールは化学的に合成されたものでもよい。実際に市販されているものとしては、１，２−ジミリストイル−ｓｎ−グリセロ−３−ホスホグリセロールナトリウム塩、１，２−ジミリストイル−ｓｎ−グリセロ−３−ホスホグリセロールアンモニウム塩、１，２−ジパルミトイル−ｓｎ−グリセロ−３−ホスホグリセロールナトリウム塩、１，２−ジパルミトイル−ｓｎ−グリセロ−３−ホスホグリセロールアンモニウム塩、１，２−ジステアロイル−ｓｎ−グリセロ−３−ホスホグリセロールナトリウム塩、１，２−ジステアロイル−ｓｎ−グリセロ−３−ホスホグリセロールアンモニウム塩、１，２−ジオレオイル−ｓｎ−グリセロ−３−ホスホグリセロールナトリウム塩、１，２−ジエルコイル−ｓｎ−グリセロ−３−ホスホグリセロールナトリウム塩、１−パルミトイル−２−オレオイル−ｓｎ−グリセロ−３−ホスホグリセロールナトリウム塩等がある。
【００１９】
上記ホスファチジルエタノールアミンとしては、由来は動物又は植物を問わない。よく用いられるものは、大豆、鶏卵黄より精製したものである。
上記ホスファチジルエタノールアミンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルエタノールアミンは、異なった炭素数のアシル基を持つもの、及び異なった不飽和結合数のアシル基を持つものが組み合わされたものの混合物である。
上記ホスファチジルエタノールアミンは化学的に合成されたものでもよい。実際に市販されているものとしては、１，２−ジミリストイル−ｓｎ−グリセロ−３−ホスホエタノールアミン、１，２−ジパルミトイル−ｓｎ−グリセロ−３−ホスホエタノールアミン、１，２−ジステアロイル−ｓｎ−グリセロ−３−ホスホエタノールアミン、１，２−ジリノレオイル−ｓｎ−グリセロ−３−ホスホエタノールアミン、１，２−ジエルコイル−ｓｎ−グリセロ−３−ホスホエタノールアミン等がある。
【００２０】
上記ホスファチジルセリンとしては、由来は動物又は植物を問わない。よく用いられるものは、大豆、鶏卵黄より精製したものである。
上記ホスファチジルセリンに含まれる２つのアシル基の炭素数及び不飽和度については限定されない。一般的には、炭素数は１０〜２２、不飽和結合は０〜２個を含有するアシル基である。また、２つのアシル基各々の炭素数及び不飽和結合の数は同一である必要はなく、異なった炭素数のアシル基の組み合わせ、飽和と飽和、飽和と不飽和もしくは不飽和と不飽和のアシル基の組み合わせでもよい。一般的に動物や植物由来のホスファチジルセリンは、異なった炭素数のアシル基を持つもの、及び異なった不飽和結合数のアシル基を持つものが組み合わされたものの混合物である。
上記ホスファチジルセリンは化学的に合成されたものでもかまわない。実際に市販されているものとしては、１，２−ジミリストイル−ｓｎ−グリセロ−３−ホスホ−Ｌ−セリンナトリウム塩、１，２−ジパルミトイル−ｓｎ−グリセロ−３−ホスホ−Ｌ−セリンナトリウム塩、１，２−ジステアロイル−ｓｎ−グリセロ−３−ホスホ−Ｌ−セリンナトリウム塩、１，２−ジオレオイル−ｓｎ−グリセロ−３−ホスホ−Ｌ−セリンナトリウム塩等がある。
【００２１】
上記グリセロリン脂質は、反応系の緩衝液に溶解あるいは分散状態で存在させるのが好ましい。難溶であるものに関しては、超音波処理による分散あるいは溶解を行ってもよい。また、界面活性剤を添加することで溶解させることもできる。
上記界面活性剤としては、一般的に脂質を可溶化できるものであれば使用することができるが、好ましくはスクロースモノラウレート等のショ糖脂肪酸エステル、リゾホスファチジルコリン、オクチルグルコシド、ドデシルマルトシド等のアルキルグリコシド、デキストラン硫酸等である。
【００２２】
本発明における被測定物質は、血中の抗体又は抗原であればよく、特に限定されるわけではなく、公知のものが対象となる。代表的なものを例示すると、抗梅毒トレポネーマ抗体、抗リン脂質抗体、抗ＨＢｓ抗体、ＨＢｓ抗原、風疹抗体、インフルエンザウイルス抗原、アデノウイルス抗原、ロタウイルス抗原、ヘリコバクター・ピロリ抗原、抗ヘリコバクター・ピロリ抗体、ヒトＣ反応性蛋白質、ストレプトリジンＯ、前立腺特異抗原、癌胎児性抗原、αフェトプロテイン、イムノグロブリンＧ、イムノグロブリンＭ、イムノグロブリンＡ、イムノグロブリンＥ、インシュリン、リウマチ因子等の公知の被測定物質を挙げることができる。
このうち、内因性リポ蛋白質の影響が大きい、抗リン脂質抗体が好ましい。ここで抗リン脂質抗体としては、梅毒感染により血中に出現する抗梅毒リン脂質抗体、又は自己免疫疾患である抗リン脂質抗体症候群により血中に出現する抗リン脂質抗体が挙げられる。
また、前立腺特異抗原の場合もより好ましい。
【００２３】
本発明の方法及び測定試薬においては、被測定物質が抗体である場合には抗原と免疫反応させ、被測定物質が抗原の場合には抗体と免疫反応させる。従って、通常本発明の測定試薬には、被測定物質と免疫反応する抗原又は抗体が含まれる。当該抗原又は抗体としては、被測定物質が抗リン脂質抗体の場合にはリン脂質である。被測定物質が前立腺特異抗原の場合には抗前立腺特異抗原抗体である。
【００２４】
上記リン脂質抗原として用いられるリン脂質としては、通常、カルジオリピン、ホスファチジルコリン、及びコレステロールの３種類が用いられるが、これら３種類が全て含まれている必要はなく、測定する疾患により選択される。自己免疫疾患である抗リン脂質抗体症候群の測定試薬の場合、少なくともカルジオリピンが含まれていればよく、抗梅毒リン脂質抗体測定試薬の場合には、少なくともカルジオリピンとホスファチジルコリンが含まれていればよい。ホスファチジルコリンやコレステロールは、特異性の向上や感度の向上を目的として、カルジオリピンと混合して用いられることが多い。これらの好ましい混合比としては、重量比で、カルジオリピン：ホスファチジルコリン：コレステロール＝１：（３〜３０）：（０〜１０）程度、より好ましくは１：（３〜３０）：（０．５〜１０）程度であるが、これに限定されず、目的に応じて混合比は適宜選択される。
上記リン脂質は、動植物から得る方法と合成する方法があるが、目的に応じて適宜選択される。通常、カルジオリピンは、牛の心臓から抽出・精製したもの、ホスファチジルコリンは、卵黄から抽出・精製したもの、コレステロールは、羊毛より抽出・精製したもの、及び合成したものが使用できる。また市販のものを使用してもよい。
【００２５】
上記リン脂質抗原等の抗原や抗前立腺特異抗原抗体等の抗体は、通常、適当な溶液中に分散させて使用される。該溶液としては特に限定されず、リン酸緩衝液、トリス塩酸緩衝液、グリシン緩衝液等が挙げられる。分散させる方法としては、不溶性担体に担持させて分散させる方法とリポソームを形成させて分散させる方法がある。
【００２６】
前記不溶性担体としては、従来より免疫学的凝集反応及び凝集阻止反応において、一般的に用いられている微粒子の担体を用いることができる。中でも、工業的に大量生産が可能な合成高分子からなるラテックスが好ましい。上記合成高分子としては、例えば、ポリスチレン、スチレン−スルホン酸共重合体、スチレン−メタクリル酸共重合体、アクリロニトリル−ブタジエン−スチレン共重合体、塩化ビニル−アクリル酸エステル共重合体、酢酸ビニル−アクリル酸エステル共重合体等が挙げられる。中でも、リン脂質の吸着性に優れ、生物学的活性を長期間安定に保持できる等の理由から、ポリスチレン、スチレン−スルホン酸共重合体が特に好ましい。その他、動物の赤血球、細菌の細胞等の生物学的粒子、ベントナイト、コロジオン、コレステロール結晶、シリカ、カオリン、炭素末等の非生物学的粒子なども用いることができる。上記不溶性担体の平均粒径は、測定方法、測定機器によって異なるが、透過型電子顕微鏡装置による測定で０．１〜１．０μｍ、好ましくは０．１〜０．５μｍのものが通常用いられる。
【００２７】
上記不溶性担体に、上記リン脂質抗原を担持する方法としては特に限定されず、従来公知の方法により、物理的、及び／又は化学的結合により担持させる方法などが挙げられる。
上記不溶性担体に物理的にリン脂質抗原を担持させる方法としては、例えば、エタノール等の適当な溶媒に溶解したリン脂質（リン脂質混合液）に適当な粒子径を有するラテックスを混合し攪拌し（感作工程）、一定時間経過後、タンパク質、糖、ペプチド等を含む溶液で処理し（ブロッキング工程）、適当な溶媒に分散させる方法があげられる。
上記ラテックスを分散させる溶媒としては、リン酸緩衝液、トリス塩酸緩衝液、グリシン緩衝液等が挙げられる。
【００２８】
これら検査方法により測定される検体としては、前記の被測定物質が含まれている可能性のある血液、血清、血漿、脳脊髄液等が用いられる。
【００２９】
測定方法としては、上記のようにして得られた試薬と検体中の抗リン脂質抗体等の被測定物質との免疫反応により生じる凝集の度合いを光学的に測定することにより、検体中の抗リン脂質抗体量等の被測定物質量を測定する。
上記凝集の度合いを光学的に測定する方法としては、公知の方法が用いられ、例えば、凝集の形成を濁度の増加としてとらえる比濁法、凝集の形成を粒度分布又は平均粒子径の変化としてとらえる方法、凝集の形成による前方散乱光の変化を積分球を用いて測定し透過光強度との比を比較する積分球光度濁度法等が挙げられる。上記の測定法において、異なる時点で少なくとも２つの測定値を得、これらの時点間における測定値の増加速度に基づき凝集の程度を求める速度試験（レートアッセイ）、あるいはある時点（通常は反応の終点と考えられる時点）で１つの測定値を得、この測定値に基づき凝集の程度を求める終点試験（エンドポイントアッセイ）を利用できる。測定の簡便性、迅速性の点から、比濁法による速度試験を行うことが好ましい。光学的に測定する方法において、散乱光強度、透過光強度、吸光度等を検出できる光学機器、特に汎用の自動分析機が使用できる。測定の波長は２５０〜１０００ｎｍが使用でき、好ましくは、５４０〜８００ｎｍである。
【００３０】
反応温度は、上記免疫反応が起こりうるものであれば特に限定されないが、恒温で１０〜５０℃の範囲内で行うのが好ましく、１０〜４０℃がより好ましい。反応時間は適宜決められる。
上記免疫反応を行う際の反応系の反応液としては、免疫反応が起こりうる生理的条件を満たす水溶液であれば特に限定されず、例えば、リン酸緩衝液、クエン酸緩衝液、グリシン緩衝液、トリス緩衝液、グッド緩衝液等が挙げられる。反応液のｐＨは、５．５〜８．５が好ましく、さらに好ましくは６．５〜８．０である。上記反応液には、さらに必要に応じて、牛血清アルブミン、ショ糖等の安定化剤、アジ化ナトリウム等の防腐剤、塩化ナトリウム等の塩濃度調整剤などを添加してもよい。
【００３１】
本発明の抗リン脂質抗体測定試薬は、測定感度の向上、及び／又は抗原抗体反応の促進を目的として、水溶性高分子を含有してもよい。上記水溶性高分子としては、例えば、プルラン、ポリビニルピロリドン等が挙げられるが、本発明の抗リン脂質抗体測定試薬においては、ポリビニルピロリドンを用いるのが特に好ましい。
【実施例】
【００３２】
本発明を実施例に基づき説明するが、本発明はこれに限定されるものではない。【００３３】
（実施例１）
１）脂質抗原液の作製
カルジオリピンのエタノール溶液（５ｍｇ／ｍＬ、シグマ社製）２ｍＬ、ホスファチジルコリン（ＣＯＡＴＳＯＭＥ  ＮＣ−５０、日油社製）のエタノール溶液（１０ｍｇ／ｍＬ）１０ｍＬ、コレステロール（ナカライテスク社製）のエタノール溶液（１０ｍｇ／ｍＬ）３ｍＬを混合し、脂質抗原液を作製した。【００３４】
２）ラテックス粒子の作製
攪拌機、還流用冷却器、温度検出器、窒素導入管及びジャケットを備えたガラス製反応容器（容量２Ｌ）に、蒸留水１，１００ｇ、スチレン２００ｇ、スチレンスルホン酸ナトリウム０．２ｇ、及び蒸留水５０ｇに過硫酸カリウム１．５ｇを溶解した水溶液を仕込み、容器内を窒素ガスで置換した後、７０℃で攪拌しながら４８時間重合した。
重合終了後、上記溶液をろ紙にてろ過処理し、ラテックス粒子を取り出した。得られたラテックス粒子の粒子径を透過型電子顕微鏡装置（日本電子社製、「ＪＥＭ−１０１０型」）を用いて１００００倍の倍率でラテックス粒子を撮影し、最低１００個以上の粒子について画像解析することにより平均粒子径を測定した。このようにして平均粒子径：０．４０μｍのラテックスＡが得られた。【００３５】
３）脂質抗原感作ラテックス試薬の作製
上記２）で作製したラテックスＡ（固形分１０重量％）１００μＬを、あらかじめ緩やかに攪拌しながら３７℃に保った。これに、上記脂質抗原液３３０μＬを一気に添加し、そのまま３７℃で緩やかに２時間攪拌した。次いでウシ血清アルブミン（以下、ＢＳＡという）（フラクションＶ、ＲｅａｇｅｎｔＧｒａｄｅ、ミリポア社製）を１重量％含有する１００ｍｍｏｌ／Ｌリン酸緩衝食塩水（１００ｍｍｏｌ／Ｌリン酸緩衝液（ｐＨ７．４）、０．９重量％ＮａＣｌ、（以下、ＰＢＳという））２ｍＬを一気に添加し、さらに３７℃で１時間攪拌した。これを遠心分離して上清を除き、沈殿したラテックスを再び１重量％ＢＳＡを含有するＰＢＳに懸濁した。この操作を繰り返し、最後に１重量％ＢＳＡ、７．５重量％塩化コリン、０．１４重量％ＥＤＴＡ・２Ｎａ、および０．１重量％アジ化ナトリウムを含有する１００ｍｍｏｌ／Ｌリン酸緩衝液（ｐＨ７．４）（以下、ＰＢという）４ｍＬに懸濁してラテックス試薬を作製した。【００３６】
４）検体希釈液の作製
５０ｍｍｏｌ／Ｌリン酸緩衝液（ｐＨ７．４）にＢＳＡを１重量％、プルラン（分子量２０万、林原社製）を１．０重量％、アジ化ナトリウムを０．１重量％、鶏卵黄由来ホスファチジルグリセロール（ＣＯＡＴＳＯＭＥ  ＮＧ−５０ＬＳ、日油製）０．１７重量％になるように添加し、撹拌した後、氷冷下で、超音波破砕機により溶液が透明となるまで３０分間以上超音波処理（上記機器で、Ｐｏｗｅｒ２０％、０．２５インチマイクロチップ使用）を行うことにより、検体希釈液を作製した。【００３７】
（実施例２）
実施例１の４）検体希釈液の作製において、鶏卵黄由来ホスファチジルグリセロールの濃度を０．０８５重量％となるように添加した以外は同様に行った。【００３８】
（実施例３）
実施例１の４）検体希釈液の作製において、鶏卵黄由来ホスファチジルグリセロールの濃度を０．０４３重量％となるように添加した以外は同様に行った。【００３９】
（実施例４）
実施例１の４）検体希釈液の作製において、鶏卵黄由来ホスファチジルグリセロールの代わりに合成ホスファチジルグリセロールである１，２−ジミリストイル−ｓｎ−グリセロ−３−ホスホグリセロールナトリウム塩（ＣＯＡＴＳＯＭＥ  ＭＧ−４０４０、日油製）を０．０４３重量％となるように添加した以外は同様に行った。【００４０】
（実施例５）
実施例１の４）検体希釈液の作製において、鶏卵黄由来ホスファチジルグリセロールの代わりに鶏卵黄由来ホスファチジルエタノールアミン（ＣＯＡＴＳＯＭＥ  ＮＥ−５０、日油製）を０．０８５重量％となるように添加した以外は同様に行った。【００４１】
（実施例６）
実施例１の４）検体希釈液の作製において、鶏卵黄由来ホスファチジルグリセロールの代わりに合成ホスファチジルコリンである１，２−ジミリストイル−ｓｎ−グリセロ−３−ホスホコリン（ＣＯＡＴＳＯＭＥ  ＭＣ−４０４０、日油製）を０．０４３重量％、界面活性剤としてリゾホスファチジルコリン（ＣＯＡＴＳＯＭＥ  ＭＣ−４０Ｈ、日油製）を０．０１４重量％となるように添加した以外は同様に行った。【００４２】
（実施例７）
実施例１の４）検体希釈液の作製において、鶏卵黄由来ホスファチジルグリセロールの代わりに合成ホスファチジルコリンである１−パルミトイル−２−ステアロイル−ｓｎ−グリセロ−３−ホスホコリン（ＣＯＡＴＳＯＭＥ  ＭＣ−６０８０、日油製）を０．０４３重量％、界面活性剤としてリゾホスファチジルコリン（ＣＯＡＴＳＯＭＥ  ＭＣ−４０Ｈ、日油製）を０．０１４重量％となるように添加した以外は同様に行った。【００４３】
（実施例８）
実施例１の４）検体希釈液の作製において、鶏卵黄由来ホスファチジルグリセロールの濃度を０．０２１重量％及び鶏卵黄由来ホスファチジルエタノールアミンを０．０２１重量％となるように添加した以外は同様に行った。【００４４】
（比較例１）
実施例１の４）検体希釈液の作製において、グリセロリン脂質を未添加とした以外は同様に行った。【００４５】
（実施例９）
１）ラテックス粒子の作成
拌機、還流用冷却器、温度検出器、窒素導入管及びジャケットを備えたガラス製反応容器（容量２Ｌ）に、蒸留水１１００ｇ、スチレン２００ｇ、スチレンスルホン酸ナトリウム０．２ｇ、及び、蒸留水５０ｇに過硫酸カリウム１．５ｇを溶解した水溶液を仕込み、容器内を窒素ガスで置換した後、７０℃で攪拌しながら４８時間重合した。
重合終了後、上記溶液をろ紙にてろ過処理し、ラテックス粒子を取り出した。得られたラテックス粒子の粒子径を透過型電子顕微鏡装置  （日本電子社製、「ＪＥＭ−１０１０型」）を用いて１００００倍の倍率でラテックス粒子を撮影し、最低１００個以上の粒子について画像解析することにより平均粒子径を測定した。このようにして平均粒子径：０．４０μｍのラテックスＢが得られた。
２）抗ＰＳＡ抗体感作ラテックス試薬の作製
ラテックスＢ（固形分１０％（ｗ／ｖ）、抗ＰＳＡ抗体６３２９１をそれぞれ２０ｍｍｏｌ／Ｌグリシン緩衝液（ｐＨ９．０）で希釈し、１％ラテックス液、０．４ｍｇ／ｍＬ抗体液を調製した。これらを１：１（１容＋１容）で混合し、約１時間攪拌した。この混合液２容に、ブロッキング液（１０重量％ＢＳＡ）を０．１容添加し、約１時間攪拌した。次に５ｍｍｏｌ／Ｌ  ＭＯＰＳ（ｐＨ７．０）溶液に透析後、３Ａｂｓ／ｍＬ（６００ｎｍ）となるように希釈して抗ＰＳＡ抗体感作ラテックス溶液ａを得た。
また、ラテックスＢ（固形分１０％（ｗ／ｖ）、抗ＰＳＡ抗体６３２５１を用いた以外は上記抗ＰＳＡ抗体感作ラテックス溶液ａ作製と同様に操作し、抗ＰＳＡ感作ラテックス溶液ｂを得た。
このようにして得られたラテックス溶液ａとラテックス溶液ｂを１：１（１容＋１容）で混合し、抗ＰＳＡ抗体感作ラテックス試薬とした。
３）検体希釈液の作成
３０ｍｍｏｌ／Ｌ  ＨＥＰＥＳ緩衝液(ｐＨ７．０)にＢＳＡを０．１重量％、塩化カリウムを０．５ｍｏｌ／Ｌ、ポリビニルピロリドンＫ９０（和光純薬工業製）を０．３％、鶏卵黄由来ホスファチジルグリセロール（ＣＯＡＴＳＯＭＥ  ＮＧ−５０ＬＳ、日油製）０．１１５重量％となるように添加し、撹拌した後、超音波破砕機により溶液が透明となるまで３０分間以上超音波処理を行うことにより、検体希釈液を作成した。【００４６】
（比較例２）
実施例９の３）検体希釈液の作成において、グリセロリン脂質を未添加とした以外は同様に行った。【００４７】
以下、実施例１〜９及び比較例１および２について検討を行った結果を示す。
（検討１）
１）内因性リポ蛋白質の分画
臭化カリウム密度勾配遠心法で高密度リポ蛋白質（以下、ＨＤＬとする）を分画した。
５０ｍＬ超遠心チューブに１．２１ｇ／ｍＬの臭化カリウム溶液を１２ｍＬ分注する。これに１０ｍＬの梅毒陰性血清を臭化カリウム溶液と混ざらないようにゆっくりと分注し、積層する。次に精製水１２ｍＬを血清と同様に混ざらないようにゆっくりと分注し、積層する。
超遠心分離機にて４４０００ｒｐｍ、２０時間、４℃で遠心分離する。
注射針とテフロン（登録商標）チューブを接続したものを用意し、ペリスタポンプで溶液を吸引できるようにする。この注射針を超遠心分離後の超遠心チューブにゆっくりと底まで挿入し、ペリスタポンプにより、臭化カリウム密度勾配がかかった血清を吸い上げる。吸い上げた溶液は０．７ｍＬずつフラクションとして分種し、４３本のフラクションが得られた。
この４３本のフラクションのＨＤＬコレステロール濃度を測定すると、フラクションＮｏ．５〜１５の範囲でＨＤＬが存在することがわかった。ＨＤＬコレステロール濃度の最も高い領域である、フラクションＮｏ．９〜１３を一つにまとめ、臭化カリウムを除去するために生理食塩水（以下、生食という）で透析をした。透析後のＨＤＬコレステロール濃度をコレステスト（登録商標）Ｎ  ＨＤＬ（積水メディカル社製）で測定すると、４０ｍｇ／ｄＬであった。
以上の方法により、ＨＤＬ含有生食溶液を得ることができた。【００４８】
２）測定検体
１２０Ｒ．Ｕ．（Ｒ．Ｕ．は、梅毒陽性抗体価の単位で、１Ｒ．Ｕ．は、ＲＰＲカード法の１倍に相当し、１Ｒ．Ｕ．以上で梅毒陽性と診断する。国際標準品を測定した場合、１Ｒ．Ｕ．は、０．４ＩＵである。）の抗体価を持つ梅毒抗リン脂質抗体陽性検体を上記検討１の１）で得たＨＤＬ含有生食溶液、生食又は血清で段階的に希釈したものを調製した。【００４９】
３）凝集量の測定
凝集量の測定には日立７１８０形生化学自動分析装置を用いた。上記実施例２又は比較例１で作製した検体希釈液を１８０μＬと上記検討１の２）で作製した各検体２０μＬを上記自動分析装置のセル中で混合し、混合後５分間、３７度でインキュベートした。次に上記実施例１の１）で作製したラテックス試薬を６０μＬ添加し、混合後５分間、３７度でインキュベートした。測定波長７００ｎｍにおけるラテックス試薬添加直後の吸光度とラテックス試薬添加５分後の吸光度差（以下、結果では△Ａｂｓ×１００００で表記する）を自動分析装置で算出した。この吸光度差が、免疫反応により増加した凝集量となる。【００５０】
４）結果
結果を図１及び図２に示す。
図１及び図２から、比較例１においてＨＤＬ含有生食溶液で希釈した場合は、血清で希釈した場合と同様に吸光度の低下が認められた。このことから、血清中のＨＤＬが妨害成分であり、吸光度低下の原因であると考えられた。それに対して、グリセロリン脂質を添加した実施例２においては、ＨＤＬ含有生食溶液や、血清で希釈した場合においても、比較例１のような吸光度の低下が抑制され、ほぼ生食と同様の吸光度となった。以上のことから、実施例２で添加したグリセロリン脂質がＨＤＬによる妨害を抑制し、吸光度低下を抑制していることがわかった。【００５１】
（検討２）
１）測定検体
１２０Ｒ．Ｕ．の抗体価を持つ梅毒抗リン脂質抗体陽性検体を生食又は血清で段階的に希釈したものを調製した。
２）凝集量の測定
凝集量の測定には日立７１８０形生化学自動分析装置を用いた。上記実施例１〜８又は比較例１で作製した検体希釈液を１８０μＬと上記検討１の１）で作製した各検体２０μＬを上記自動分析装置のセル中で混合し、混合後５分間、３７度でインキュベートした。次に上記実施例１の１）で作製したラテックス試薬を６０μＬ添加し、混合後５分間、３７度でインキュベートした。測定波長７００ｎｍにおけるラテックス試薬添加直後の吸光度とラテックス試薬添加５分後の吸光度差（以下、結果では△Ａｂｓ×１００００で表記する）を自動分析装置で算出し、この吸光度差が、免疫反応により増加した凝集量となる。
３）結果
結果を図３〜図１１に示す。
実施例１〜８のいずれにおいても比較例１よりも生食と血清の各抗体濃度における吸光度差が減少しており、各種グリセロリン脂質添加によって血清中の妨害成分による吸光度の低下を改善していることがわかった。【００５２】
（検討３）
１）測定検体
ＰＳＡ濃度９．５ｎｇ／ｍＬの検体を、生食及び女性血清で希釈したものを使用した。
２）凝集量の測定
凝集量の測定には日立７１８０形生化学自動分析装置を用いた。上記実施例９及び比較例２で作成した検体希釈液を９０μＬと上記検討１の１）で作成した各検体１０．８μＬを上記自動分析装置のセル中で混合し、混合後５分間、３７℃でインキュベートした。次に上記実施例９の１）で作成したラテックス試薬を９０μＬ添加し、混合後５分間、３７℃でインキュベートした。測定波長８００ｎｍにおけるラテックス試薬添加直後の吸光度とラテックス試薬添加５分後の吸光度差（以下、結果では△Ａｂｓ×１００００で表記する）を自動分析機が算出し、この吸光度差が、免疫反応により増加した凝集量となる。
３）結果
結果を図１２および図１３に示す。
実施例９は比較例２よりも生食と血清の各ＰＳＡ濃度における吸光度差が減少しており、各種グリセロリン脂質添加によって血清中の妨害成分による吸光度の低下を改善していることがわかる。
【産業上の利用可能性】
【００５３】
本発明は、免疫反応により血中の被測定物質を測定する試薬における、内因性リポ蛋白質の影響の回避方法であり、内因性リポ蛋白質の影響抗リン脂質抗体測定試薬においては、その影響を回避することにより、より正確な測定が可能となる。
【図１】
2011125873.tif 000002
【図２】
2011125873.tif 000003
【図３】
2011125873.tif 000004
【図４】
2011125873.tif 000005
【図５】
2011125873.tif 000006
【図６】
2011125873.tif 000007
【図７】
2011125873.tif 000008
【図８】
2011125873.tif 000009
【図９】
2011125873.tif 000010
【図１０】
2011125873.tif 000011
【図１１】
2011125873.tif 000012
【図１２】
2011125873.tif 000013
【図１３】
2011125873.tif 000014
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
被測定物質が血中の抗体又は抗原であり、被測定物質が抗体である場合は抗原、抗原である場合は抗体との免疫反応により被測定物質を測定する試薬において、免疫反応の反応系に溶解又は分散状態のグリセロリン脂質を含有させることを特徴とする内因性リポ蛋白質の影響回避方法。
【請求項２】
溶解又は分散状態のグリセロリン脂質が、ホスファチジン酸、ホスファチジルコリン、ホスファチジルグリセロール、ホスファチジルエタノールアミン及びホスファチジルセリンから選ばれる１種以上である請求項１記載の内因性リポ蛋白質の影響回避方法。
【請求項３】
被測定物質が、抗リン脂質抗体である請求項１又は２記載の内因性リポ蛋白質の影響回避方法。
【請求項４】
被測定物質である抗リン脂質抗体が、梅毒感染により血中に出現する抗梅毒リン脂質抗体又は自己免疫疾患である抗リン脂質抗体症候群により血中に出現する抗リン脂質抗体である請求項３記載の内因性リポ蛋白質の影響回避方法。
【請求項５】
被測定物質が血中の抗体又は抗原であり、被測定物質が抗体である場合は抗原、抗原である場合は抗体との免疫反応により被測定物質を測定する試薬において、前記免疫反応の反応系に溶解又は分散状態のグリセロリン脂質が含有されていることを特徴とする血中の抗体又は抗原測定試薬。
【請求項６】
溶解又は分散状態のグリセロリン脂質が、ホスファチジン酸、ホスファチジルコリン、ホスファチジルグリセロール、ホスファチジルエタノールアミン及びホスファチジルセリンから選ばれる１種以上である請求項５記載の測定試薬。
【請求項７】
被測定物質が、抗リン脂質抗体である請求項５又は６記載の測定試薬。
【請求項８】
抗原又は抗体が不溶性担体に担持されている請求項５〜７記載の測定試薬。
【請求項９】
被測定物質である抗リン脂質抗体が、梅毒感染により血中に出現する抗梅毒リン脂質抗体である請求項７又は８記載の測定試薬。
【請求項１０】
被測定物質である抗リン脂質抗体が、自己免疫疾患である抗リン脂質抗体症候群により血中に出現する抗リン脂質抗体である請求項７又は８記載の測定試薬。
【請求項１１】
被測定物質が前立腺特異抗原である請求項５又は６記載の測定試薬。
【請求項１２】
抗体が抗前立腺特異抗原抗体であり、抗体が不溶性担体に担持されている請求項５、６又は１１記載の測定試薬。
【国際調査報告】
2011125873.tif 000015
2011125873.tif 000016
2011125873.tif 000017
2011125873.tif 000018